(57)【要約】      （修正有）【課題】メッセージカードのメッセージを見せる機会を増やすことができるフラワーアレンジユニットを提供する。【解決手段】フラワーアレンジユニット１は、容器２と、容器２内に一部が配置されたプリザーブドフラワー３と、プリザーブドフラワー３の背面側に配置されることでプリザーブドフラワー３の少なくとも一部が映り込み、メッセージを記載する部位を備えるメッセージ部と、メッセージ部を支持し容器２内に一部が配置される固定部とを備えるメッセージボード５と、を有する。【選択図】図１
0003197494.tif 000002
【実用新案登録請求の範囲】
【請求項１】
容器と、
前記容器内に一部が配置された造花またはプリザーブドフラワーと、
前記造花またはプリザーブドフラワーの背面側に配置されることで前記造花またはプリザーブドフラワーの少なくとも一部が映り込み、メッセージを記載する部位を備えるメッセージ部と、前記メッセージ部を支持し前記容器内に一部が配置される固定部とを備えるメッセージボードと、
を有することを特徴とするフラワーアレンジユニット。
【請求項２】
前記メッセージ部は前記固定部から分離可能に設けられており、前記固定部から分離したときに自立するように湾曲している請求項１に記載のフラワーアレンジユニット。
【請求項３】
容器と、
前記容器内に一部が配置された造花またはプリザーブドフラワーと、
前記容器の下部にトレイ状に配置され、メッセージを記載する部位を備えるメッセージボードと、
を有することを特徴とするフラワーアレンジユニット。
【考案の詳細な説明】
【技術分野】
【０００１】
本考案はフラワーアレンジユニットに関する。
【背景技術】
【０００２】
贈答用に花にメッセージを付けて贈ることが知られている。
【０００３】
例えば、開店祝いに贈る花は、生花の上部にメッセージを付けた紙製や木製の立て札が取り付けられている。このメッセージとしては、例えば、贈り先を祝う言葉や、贈り主の名前等が記入される。
【０００４】
また、他の例では、複数本のドライフラワーと、ドライフラワーを収納して固定する装飾部を備えたケースと、ドライフラワーを装飾部に止める接着テープ等の固定手段とを備え、メッセージ掲示部には、メッセージカードや電文用紙等のメッセージ体を掲示でき、郵便物や電報等の配送物としても配送できるものが知られている。
【先行技術文献】
【特許文献】
【０００５】
【特許文献１】特開２００２−４６７３１号公報
【考案の概要】
【考案が解決しようとする課題】
【０００６】
プリザーブドフラワーや造花に紙製のメッセージカードを付けたユニットを考える。
紙製のメッセージカードは、水に濡れると滲んでしまったり、光が当たることにより退色してしまったりすることにより、メッセージが読み取れなくなる場合がある。また、折り畳む形状のメッセージカードは、花の利用が完了した場合、その形状からどこかに仕舞われてしまうことが多い。
【０００７】
また、生花の上部にメッセージを付けた紙製や木製の立て札が取り付けられたユニットを考える。立て札は、花が枯れてしまう等、花の利用が完了した場合、その形状から花とともに捨てられたりすることが多い。
このように、メッセージカードが十分な効果を発揮できない場合があった。
１つの側面では、本考案は、メッセージカードのメッセージを見せる機会を増やすフラワーアレンジユニットを提供することを目的とする。
【課題を解決するための手段】
【０００８】
上記目的を達成するために、開示のフラワーアレンジユニットが提供される。このフラワーアレンジユニットは、容器と、容器内に一部が配置された造花またはプリザーブドフラワーと、造花またはプリザーブドフラワーの背面側に配置されることで造花またはプリザーブドフラワーの少なくとも一部が映り込み、メッセージを記載する部位を備えるメッセージ部と、メッセージ部を支持し容器内に一部が配置される固定部とを備えるメッセージボードと、を有する。
【考案の効果】
【０００９】
１態様では、メッセージカードのメッセージを見せる機会を増やすことができる。
【図面の簡単な説明】
【００１０】
【図１】第１の実施の形態のフラワーアレンジユニットを正面側から見た斜視図である。
【図２】第１の実施の形態のフラワーアレンジユニットを裏面側から見た図である。
【図３】メッセージボードを説明する図である。
【図４】第２の実施の形態のフラワーアレンジユニットを示す斜視図である。
【図５】第３の実施の形態のフラワーアレンジユニットを示す斜視図である。
【考案を実施するための形態】
【００１１】
以下、実施の形態のフラワーアレンジユニットを、図面を参照して詳細に説明する。
＜第１の実施の形態＞
図１は、第１の実施の形態のフラワーアレンジユニットを正面側から見た斜視図である。図２は、第１の実施の形態のフラワーアレンジユニットを裏面側から見た図である。
図１および図２に示すフラワーアレンジユニット１は、例えば、結婚式や新居、転居祝い、誕生日等の贈答用に用いられる。
フラワーアレンジユニット１は、容器２内に、プリザーブドフラワー（装飾物）３と、葉の形を模したグリーン類４と、メッセージボード５とが設けられている。
【００１２】
容器２の種類は、特に限定されず、例えば鉢、花瓶、箱、バスケット等が挙げられる。また、容器２の形状は、上方に開口を備える錐体であるが、これに限定されない。
プリザーブドフラワー３の茎部分（図示せず）は、容器２内に設けられ、ウレタン樹脂やスポンジ等で形成された土台（図示せず）に挿入されている。
【００１３】
また、プリザーブドフラワー３は、メッセージボード５の配置位置を予め考慮してその大部分が容器２内の、図１の紙面手前側に配置される。そして、紙面奥側にグリーン類４の大部分が配置される。
なお、本実施の形態では、プリザーブドフラワーを用いたが、これに限らず、例えば造花であってもよい。
図３は、メッセージボードを説明する図である。
【００１４】
メッセージボード５は、メッセージ部５ａと固定部５ｂとを有している。メッセージ部５ａは、メッセージを記載することができるスペースである。メッセージ部５ａは、アクリル樹脂で形成されている。例えば鏡状のアクリル樹脂、より具体的には透明なアクリル樹脂と黒色または灰色に着色された鏡状のアクリル樹脂（いわゆる２層アクリル）で形成されている。具体的には、メッセージ部５ａの表面（図３に見えている面）は、透明なアクリル樹脂であり、メッセージ部５ａの裏面（図２に見えている面）は、紙面の都合上表していないが灰色に着色された２層式アクリル樹脂である。メッセージ部５ａをアクリル樹脂で形成することで、記載したメッセージの光による退色や、水によるヨレ、滲み等を抑制することができる。
また、メッセージ部５ａをプリザーブドフラワー３の背面上部に配置することで、メッセージカードのメッセージを見せる機会を増やすことができる。
【００１５】
また、メッセージ部５ａをプリザーブドフラワー３の背面上部に配置することで、メッセージ部５ａが鏡面のような効果を奏し、プリザーブドフラワー３の一部をメッセージ部５ａに映り込ませることができる。これにより、奥行きを感じさせ、プリザーブドフラワー３の花の量を多く見せることができる。従って、フラワーアレンジユニット１全体が華やかに見える。また、装飾が施されたメッセージ部５ａをプリザーブドフラワー３の背面に配置することで、フラワーアレンジユニット１全体を大きく豪華に見せ、価値を高めることができる。
【００１６】
ところで、アクリル樹脂の一部には文字が彫刻されていることにより、メッセージ部５ａにオリジナルメッセージ１０が記載されている。メッセージの内容は特に限定されないが、贈答用であれば、例えば日頃なかなか伝えにくい感謝の気持ち等、贈られた方を嬉しい気持ちにするメッセージが挙げられる。
【００１７】
なお、本実施の形態ではメッセージボード５の２層のアクリル樹脂の色を透明と灰色とした。しかし、これに限らず、銀色と灰色の２層、金色と灰色の２層、赤色と白色の２層等、他の色の組み合わせであってもよい。
【００１８】
固定部５ｂは、メッセージ部５ａを支持している。この固定部５ｂは、先端部が鋭角になっており、アクリル樹脂で形成されている。この固定部５ｂは、グリーン類４をかき分ける形で前述した土台に挿入されている。
【００１９】
これらメッセージ部５ａと固定部５ｂは容易に分離することができるようになっている。具体的には、図２に示すように、固定部５ｂは、メッセージ部５ａの裏面に接着剤や両面テープ等で固定されている。これにより、例えば、プリザーブドフラワー３を廃棄した場合等には、メッセージボード５をウレタン樹脂から取り外し、メッセージ部５ａを固定部５ｂから分離させることで、メッセージ部５ａだけを飾ったりすることができる。これにより、メッセージ部５ａが、メッセージを贈られた者の手元により長く残る可能性を高めることができる。従って、メッセージを贈られた者がメッセージを見る機会を増やし、メッセージが、より心に残るようにすることができる。
【００２０】
なお、本実施の形態では、固定部５ｂをメッセージ部５ａの裏面に固定するようにした。しかしこれに限らず、メッセージ部５ａと固定部５ｂとを一体的に形成し、メッセージ部５ａと固定部５ｂとの間に切り込み部を設け、この切り込み部５ｃを介してメッセージ部５ａと固定部５ｂを容易に分離することができるようになっていてもよい。
【００２１】
また、本実施の形態ではメッセージボード５の材質をアクリル樹脂であるものとして説明した。しかしこれに限らずメッセージボードの材質は木であってもよい。この場合、メッセージ部５ａに焼き入れや彫刻をすることにより、メッセージ５ａにメッセージを記入することができる。
＜第２の実施の形態＞
次に、第２の実施の形態のフラワーアレンジユニットについて説明する。
【００２２】
以下、第２の実施の形態のフラワーアレンジユニットについて、前述した第１の実施の形態との相違点を中心に説明し、同様の事項については、その説明を省略する。
図４は、第２の実施の形態のフラワーアレンジユニットを示す斜視図である。
第２の実施の形態のフラワーアレンジユニット１ａは、メッセージボード６の形状が異なっている。
【００２３】
第２の実施の形態のメッセージボード６は、形状が湾曲したメッセージ部６ａを有している。これにより、メッセージ部６ａを固定部５ｂから分離させるとメッセージ部６ａが自立する。従って、例えばメッセージ部６ａを机の上に置いて飾ったりする場合に支えが不要となり、メッセージを贈られた者は、メッセージ部６ａの閲覧が容易になる。
＜第３の実施の形態＞
次に、第３の実施の形態のフラワーアレンジユニットについて説明する。
【００２４】
以下、第３の実施の形態のフラワーアレンジユニットについて、前述した第１の実施の形態との相違点を中心に説明し、同様の事項については、その説明を省略する。
図５は、第３の実施の形態のフラワーアレンジユニットを示す斜視図である。
第３の実施の形態のフラワーアレンジユニット１ｂは、メッセージボード７の形状および配置位置が異なっている。
メッセージボード７は、アクリル樹脂製のコースターであり、容器２の下部にトレーのように配置されている。
【００２５】
図示していないが、容器２を持ち上げると、メッセージボード７の中央部には贈答者がフラワーアレンジユニット１ｂを送った日付、贈答者の名前およびメッセージ等が記載されている。
【００２６】
以上、本考案のフラワーアレンジユニットを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００２７】
１、１ａ、１ｂ  フラワーアレンジユニット
２  容器
３  プリザーブドフラワー
４  グリーン類
５、６、７  メッセージボード
５ａ  メッセージ部
５ｂ  固定部
【図１】
0003197494.tif 000003
【図２】
0003197494.tif 000004
【図３】
0003197494.tif 000005
【図４】
0003197494.tif 000006
【図５】
0003197494.tif 000007